(57)【要約】【課題】コストがかからなく、居室内の空気を有効的に利用できることを目的とする。【解決手段】第二熱交換器４の温度が決められた温度以下を一定時間継続した場合に、圧縮機１を停止し、浴室以外の他室１２の空気の熱を利用して、第二熱交換器４の霜を解凍するという構成にしたことにより、第二熱交換器４の温度が決められた温度以下を一定時間継続した場合に、圧縮機１を停止し、浴室以外の他室１２の空気の熱を利用して、第二熱交換器４の霜を解凍するので、コストがかからなく、居室１１内の空気を有効的に利用できる浴室換気空調装置を得られる。【選択図】図２
2013083366.tif 000002
【特許請求の範囲】
【請求項１】
冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した循環ユニットとその暖房運転時に第二熱交換器に温度検知装置を備え、その前記第二熱交換器の温度が決められた温度以下を一定時間継続した場合に、前記圧縮機を停止し、浴室以外の他室の空気を熱を利用して、前記第二熱交換器の霜を解凍することを特徴とする浴室換気空調装置。
【請求項２】
温度検知装置の温度が決められた温度以上になった場合に、再び圧縮機を運転することを特徴とする請求項１に記載の浴室換気空調装置。
【請求項３】
温度検知装置の温度が決められた温度以下になった場合には、一定時間経過後再び前記圧縮機を運転することを特徴とする請求項１に記載の浴室換気空調装置。
【発明の詳細な説明】
【技術分野】
【０００１】
本発明は、浴室換気空調装置の除霜運転時に四方弁を使わずに熱交換器の除霜をおこなうことに関するものである。
【背景技術】
【０００２】
従来、この種の冷凍サイクルを有する空調装置は、除霜運転時に四方弁を用いたホットガスにより熱交換器の除霜をおこなうものが知られている（例えば、特許文献１参照）。
【０００３】
以下、その冷凍サイクルを有する空調装置について図１を参照しながら説明する。
【０００４】
図４に示すように、圧縮機１０１、四方弁１０２、第一熱交換器１０３、膨張弁１０４、第二熱交換器１０５を、冷媒配管によって順次接続した冷凍サイクルを有している。
【０００５】
前記四方弁１０２は内部の冷媒流路を切り替えることにより、冷媒回路の流れを切り替えるものである。暖房運転の場合、圧縮機１０１にて冷媒を圧縮し、四方弁１０２を通り第一熱交換器１０３に運ばれ、第一熱交換器１０３を通過する空気と熱交換（放熱）される。その後膨張弁１０４で冷媒を膨張させ、第二熱交換器１０５で冷媒が蒸発し（吸熱）、再び圧縮機１０１に冷媒を戻すという冷凍サイクルの流れで、第一熱交換器１０３にて暖房がおこなえる。前記暖房運転時は第二熱交換器１０５に霜が着霜することがよくあり、
この状態が続くと暖房能力が低下する。
【０００６】
そのため、前記暖房運転を一旦停止し、四方弁１０２の流路を切り、除霜運転をおこなう。
【０００７】
除霜運転の冷凍サイクルを図５を参照しながら説明する。
【０００８】
除霜運転は図５に示すように、圧縮機１０１にて冷媒を圧縮し、四方弁１０２を通り、まず先に高温がスを第二熱交換器１０５に流し、その高温ガス（以下ホットガスという）にて第二熱交換器１０５の霜を解霜させる。その後、膨張弁１０４、第一熱交換器１０３を通り、圧縮機１０１に再び戻る冷凍サイクルにて除霜運転をおこない第二熱交換器１０５の霜を解霜させる。
【０００９】
暖房運転を再開する場合は、再び、四方弁１０２を切り替える。
【先行技術文献】
【特許文献】
【００１０】
【特許文献１】特開２０１１−１４４９６０号公報
【発明の概要】
【発明が解決しようとする課題】
【００１１】
このような従来の冷凍サイクルを有する空調装置においては、除霜運転時はホットガスによって蒸発器についた霜を解氷するようにしていたが、これには四方弁によってホットガスを蒸発器に流れるように切り替える必要があり、四方弁が必要となる、という課題を有していた。
【００１２】
そこで本発明は、上記従来の課題を解決するものであり、コストがかからなく、居室内の空気を有効的に利用できる換気空調装置を提供することを目的とする。
【課題を解決するための手段】
【００１３】
そして、この目的を達成するために、本発明は、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した循環ユニットとその暖房運転時に第二熱交換器に温度検知装置を備え、その前記第二熱交換器の温度が決められた温度以下を一定時間継続した場合に、前記圧縮機を停止し、浴室以外の他室の空気を熱を利用して、前記第二熱交換器の霜を解凍することとしたものであり、これにより所期の目的を達成するものである。
【発明の効果】
【００１４】
本発明によれば、その前記第二熱交換器の温度が決められた温度以下を一定時間継続した場合に、前記圧縮機を停止し、浴室以外の他室の空気の熱を利用して、前記第二熱交換器の霜を解霜するという構成にしたことにより、・その前記第二熱交換器の温度が決められた温度以下を一定時間継続した場合に、前記圧縮機を停止し、浴室以外の他室の空気を熱を利用して、前記第二熱交換器の霜を解凍することとなるのでコストがかからなく、居室内の空気を有効的に利用できる、という効果を得ることができる。
【図面の簡単な説明】
【００１５】
【図１】本発明の実施の形態１の浴室換気空調装置の冷媒回路を示す概念図
【図２】同浴室換気空調装置の部品構成を示す斜視図
【図３】同浴室換気空調装置のシステムを示す概念図
【図４】従来の冷凍サイクル空調装置の暖房運転時の冷媒回路を示す概念図
【図５】同冷凍サイクル空調装置の除霜運転時の冷媒回路を示す概念図
【発明を実施するための形態】
【００１６】
本発明の請求項１記載の浴室換気空調装置は、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した循環ユニットとその暖房運転時に第二熱交換器に温度検知装置を備え、その前記第二熱交換器の温度が決められた温度以下を一定時間継続した場合に、前記圧縮機を停止し、浴室以外の他室の空気の熱を利用して、前記第二熱交換器の霜を解凍する、という構成を有する。これにより、その前記第二熱交換器の温度が決められた温度以下を一定時間継続した場合に、前記圧縮機を停止し、浴室以外の他室の空気を熱を利用して、前記第二熱交換器の霜を解凍することとなるので、コストがかからなく、居室内の空気を有効的に利用できる、という効果を奏する。
【００１７】
また、温度検知装置の温度が決められた温度以上になった場合に、再び圧縮機を運転する、という構成にしてもよい。これにより、圧縮機を停止し、他室の空気を第二熱交換器に流れるような風路に切り替え、換気ファンを利用して第二熱交換器に風を当て、第二熱交換器の温度が決められた温度になると、再び圧縮機を運転することとなるので、短時間で、コストがかからなく、居室内の空気を有効的に利用できる、という効果を奏する。
【００１８】
また、温度検知装置の温度が決められた温度以下になった場合には、一定時間経過後再び前記圧縮機を運転する、という構成にしてもよい。これにより、圧縮機を停止し、他室の空気を第二熱交換器に流れるような風路に切り替え、換気ファンを利用して第二熱交換器に風を当て、一定の時間が経過すると、再び圧縮機を運転することとなるので、短時間で、コストがかからなく、居室内の空気を有効的に利用できる、という効果を奏する。
【００１９】
以下、本発明の実施の形態について図面を参照しながら説明する。
【００２０】
（実施の形態１）
図１、および図２に示すように、冷媒を圧縮するための圧縮機１と、通過する空気に放熱するための第一熱交換器２と、前記冷媒を膨張するための膨張機構としての膨張弁３、前記通過する空気から吸熱するための第二熱交換器４とを順に連結し、前記冷媒を流通させるための冷媒回路を設けた冷凍サイクルを箱状の外郭５内に配し、側面には送風機ユニットを配した循環ユニット６とその暖房運転時に第二熱交換器４に温度検知装置７を備え、その前記第二熱交換器４の温度が決められた温度以下を一定時間継続した場合に、前記圧縮機１を停止し、送風装置を配した排気ユニット８により浴室以外の他室の空気を前記第二熱交換器４に排気風（図示せず）をあてることにより、前記排気風の熱を利用して、前記第二熱交換器４の霜を解凍する。
【００２１】
なお、温度検知装置７は、サーミスターを使用し、安価で誤差も少なく検知できるからである。
【００２２】
ここでいう冷媒とは、Ｒ４１０ＡやＲ１３４Ａなどのフロン冷媒を示す。また、第一熱交換器２に風をあて、その風に放熱させるための、循環ユニット６に用いるものはＤＣモーターとシロッコファンが代表的な組み合わせである。しかし、これに限定するわけではなく、ＤＣモーターではなくＡＣ誘導電動機でも同様の作用はおこなうことができるし、シロッコファンもクロスフローファンを用いてもよいが、ＤＣモーターを用いると、回転数を制御しやすいので、好ましくはＤＣモーターを用いる。
【００２３】
第一熱交換器２や第二熱交換器４は何枚（数十枚単位）ものアルミフィンの中を銅管が貫通しているものであり、銅管の中を冷媒が流れアルミフィンにて表面積を増やし、フィンと空気の熱交換ができやすくする構造とする。
【００２４】
第二熱交換器４に浴室以外の他室の空気をあてるための手段としても、前記同様ＤＣモーターとシロッコファン等を用いる。
【００２５】
圧縮機１にて冷媒を圧縮すると高温のガスになり、その冷媒を第一熱交換器２で循環ユニット６の送風機により熱交換させる。熱交換された後の空気は当然あたたかい空気なので、ここでは浴室の暖房に使う。その後、膨張弁３にて適度な開度に絞ることにより、冷媒は膨張し低温になる。低温になった冷媒において第二熱交換器４にて今度はそこを排気ユニット８の風を通過させる空気から熱を奪う。その後再び、圧縮機１に冷媒を戻す冷凍サイクルを繰り返すことにより、やがて第二熱交換器４に霜が付着し始める。
【００２６】
第二熱交換器４に霜が付着し始めると、前記第二熱交換器４での熱交換がしづらくなり、暖房能力が低下する。
【００２７】
このため、第二熱交換器４に霜が付着しはじめとことを検知するために、温度検知装置７を第二熱交換器４の銅管部にロー付けやセンサーホルダーを用いて前記銅管部に温度検知装置７を密着させ、第二熱交換器４の温度を検知するようにし、その温度がある決めた温度以下をある時間継続した場合は、暖房運転を停止し、第二熱交換器４の霜を溶かす運転に移行する。
【００２８】
このとき、圧縮機１を停止させ、そのあと膨張弁３を全開にする。そうすることにより、圧縮機１で高温になっていた冷媒が第二熱交換器４に流入し、銅管表面の霜は若干溶ける。
【００２９】
一例として、検出温度と継続時間に関しては、次のような３段階をもたせる。１段階目は、０℃以下が６０分継続した場合、２段階目はー１℃が３０分継続した場合、３段階目はー１４℃が３分間継続した場合に霜を溶かす運転に移行する。１段階目は高めの温度で霜があまり成長しない温度を長時間に設定しておき、２段階目は暖房能力的に実使用上の製品からの吹出し温度が寒くない温度に設定し、３段階目は低い温度で短時間の保護的温度に設定する。
【００３０】
次に図３を参照しながら説明する。
【００３１】
霜を溶かす運転に入った場合に、圧縮機１、および循環ユニット６の運転を停止し、排気ユニット８は運転し、浴室以外の他室１２、例えばトイレや廊下や洗面所等の排気装置がいる箇所の空気を、ダクト等により吸気口９から製品すなわち本体内に取り込み、第二熱交換器４にその空気をあてる。浴室以外の他室１２の空気は元々、居室１１にてエアコン１４等の暖房された空気であり、あたたかいが、少し汚れた空気のため、本来はそのまま屋外に排気される空気であるが、本発明では、その空気の熱を利用して、第二熱交換器４の霜を溶かす。霜を溶かすために使った空気は冷やされるので排気口１０からダクト等を用いて屋外に排気される。浴室以外の他室１２の空気の熱で温められ、霜が溶けると第二熱交換器４の温度も高くなる。それを温度検知装置７にて温度の監視をしており、ある一定温度が一定時間になると、霜を溶かす運転を停止し、暖房運転に再び戻るようにする。
【００３２】
一例として、ここでは例えば５℃を３分間継続した場合に、霜を溶かす運転をやめ、暖房運転にもどる。
【００３３】
ただ、浴室１３以外の他室１２の温度が低い場合や第二熱交換器４の霜が溶けにくい場合などはなかなかある一定温度にならないことがある。そのため、ある一定温度以下の場合でも、一定時間経過後には霜を溶かす運転を停止し、もとの暖房運転にもどす。
【００３４】
一例として、９分間経過すると、霜を溶かす運転をやめ、暖房運転にもどる。
【００３５】
設置は、浴室１３の天井面に吊りボルトにより吊り設置される。その場合に振動が家等の躯体に伝わらないように防振ゴム等を配置する。
【産業上の利用可能性】
【００３６】
本発明にかかる換気空調装置は、２４時間換気で本来排気される空気の熱を利用可能とするものであるので、除霜機能を搭載した空調装置等として有用である。
【符号の説明】
【００３７】
１    圧縮機
２    第一熱交換器
３    膨張弁
４    第二熱交換器
５    外郭
６    循環ユニット
７    温度検知装置
８    排気ユニット
９    吸気口
１０  排気口
１１  居室
１２  浴室以外の他室
１３  浴室
１４  エアコン
【図１】
2013083366.tif 000003
【図２】
2013083366.tif 000004
【図３】
2013083366.tif 000005
【図４】
2013083366.tif 000006
【図５】
2013083366.tif 000007